(57)【要約】【課題】運用性が良好であって、エアマットの動作の影響を軽減することのできる生体情報測定システムを提供する。【解決手段】生体情報測定システム１００は、エアの給排気による膨張又は収縮で上下動するエアマット１２と、エアマット１２上の患者に電波を照射し、その反射波を利用して生体の動きを検出する電波センサー２０と、電波センサー２０から出力された検出信号から、エアマット１２上の患者の生体情報を取得する演算装置３０と、を備え、電波センサー２０は、エアマット１２の下方であって、少なくとも一部がエアマット１２の縁部の下面に重なる位置に、当該電波センサー２０から放射される電波の指向性が、エアマット１２の上面中心部に向くように配設される。【選択図】図１
2020130328.tif 000002
【特許請求の範囲】
【請求項１】
エアの給排気による膨張又は収縮で上下動するエアマットと、
前記エアマット上の生体に電波を照射し、その反射波を利用して生体の動きを検出する電波センサーと、
前記電波センサーから出力された検出信号から、前記エアマット上の生体の生体情報を取得する演算処理部と、
を備え、
前記電波センサーは、前記エアマットの下方であって、少なくとも一部が前記エアマットの縁部の下面に重なる位置に、当該電波センサーから放射される電波の指向性が、前記エアマットの上面中心部に向くように配設されることを特徴とする生体情報測定システム。
【請求項２】
前記電波センサーから放射される電波の指向性が最大になる方向は、前記エアマットが最も移動する方向と異なることを特徴とする請求項１に記載の生体情報測定システム。
【請求項３】
前記電波センサーは、前記エアマットに対して配設された際の高さが、前記エアマットの厚み以下であることを特徴とする請求項１又は２に記載の生体情報測定システム。
【請求項４】
前記演算処理部は、
前記電波センサーから出力された検出信号と、前記エアマットの動作を示すリファレンス信号に基づいて、前記生体情報を取得することを特徴とする請求項１から３のいずれか一項に記載の生体情報測定システム。
【請求項５】
前記演算処理部は、前記電波センサーから出力された検出信号から、前記リファレンス信号の成分を差し引いて、前記生体情報を取得することを特徴とする請求項４に記載の生体情報測定システム。
【請求項６】
前記リファレンス信号は、前記エアマットの厚み方向の移動距離、前記エアマットの厚み方向の移動速度、又は前記エアマットの移動による圧力変化を示す信号であることを特徴とする請求項４又は５に記載の生体情報測定システム。
【請求項７】
前記リファレンス信号は、前記エアマットのポンプ及び排気バルブの少なくとも一方のＯＮ／ＯＦＦ信号であり、
前記演算処理部は、前記リファレンス信号により前記エアマットのポンプ及び前記排気バルブの少なくとも一方が動作中であると判断した場合、前記電波センサーから出力された検出信号を無効とすることを特徴とする請求項４に記載の生体情報測定システム。
【請求項８】
前記電波センサーと前記エアマットを挟んで対向して配設される第２の電波センサーを備え、
前記演算処理部は、前記電波センサー及び前記第２の電波センサーの各々の検出信号から求めた距離又は速度信号から合成信号を求め、前記合成信号から前記生体情報を取得することを特徴とする請求項１から７のいずれか一項に記載の生体情報測定システム。
【請求項９】
前記電波センサーと前記第２の電波センサーの組を複数組備えることを特徴とする請求項８に記載の生体情報測定システム。
【発明の詳細な説明】
【技術分野】
【０００１】
本発明は、生体情報測定システムに関する。
【背景技術】
【０００２】
従来、病院等の医療機関においては、患者の呼吸数、呼吸波形、心拍数、心拍波形等の生体情報を、電波センサーを用いて継続的に測定し、異常の有無を監視するシステムが使用されている。このシステムでは、生体情報の測定データを、ベッドサイドに設けられた端末装置などに表示させることで、医師や看護師等の医療従事者が測定データを確認することができる。
センサーの設置位置としては、マットの横や真下にすることなどが提案されている（例えば、特許文献１参照）。
【０００３】
ところで、近年、看護師/介護士の作業を介さずに、患者の褥瘡（床ずれ）を防ぐため、膨縮させることで人体との接触部位を周期的に移動させる電動式のエアマットの使用機会が増加している。
【先行技術文献】
【特許文献】
【０００４】
【特許文献１】国際公開第２０１７／１３０６４６号
【発明の概要】
【発明が解決しようとする課題】
【０００５】
しかしながら、上記エアマットを使用した場合、エアマットの動作がセンサーの測定値に影響を与える恐れがある。特に、特許文献１のようにセンサーをマットの真下に設置した場合には、エアマットの影響を直接受け、測定値に影響がでやすい。
また、特許文献１のようにセンサーをマットの横に設置した場合、センサー全体がマットから突出することとなるので、医療従事者や患者の行動の邪魔になり、運用性に問題がある。また、センサーをマットの横に行動の邪魔にならないよう取り付けるには、例えばベッド横の柵などに固定することとなるが、横の柵は取り外しが頻繁に行われるため、こちらも運用性に問題がある。
【０００６】
本発明は、上記課題に鑑みてなされたものであり、運用性が良好であって、エアマットの動作の影響を軽減することのできる生体情報測定システムを提供することを目的とする。
【課題を解決するための手段】
【０００７】
上記課題を解決するため、本発明の生体情報測定システムは、
エアの給排気による膨張又は収縮で上下動するエアマットと、
前記エアマット上の生体に電波を照射し、その反射波を利用して生体の動きを検出する電波センサーと、
前記電波センサーから出力された検出信号から、前記エアマット上の生体の生体情報を取得する演算処理部と、
を備え、
前記電波センサーは、前記エアマットの下方であって、少なくとも一部が前記エアマットの縁部の下面に重なる位置に、当該電波センサーから放射される電波の指向性が、前記エアマットの上面中心部に向くように配設されることを特徴とする。
【発明の効果】
【０００８】
本発明によれば、運用性が良好であって、エアマットの動作の影響を軽減することのできる生体情報測定システムを提供することができる。
【図面の簡単な説明】
【０００９】
【図１】第１実施形態の生体情報測定システムの構成を示す概略図である。
【図２】図１の生体情報測定システムの機能的構成を示すブロック図である。
【図３】電波センサーの外観図である。
【図４】図３のＩＶ線における断面図である。
【図５】電波センサーの配置について説明するための図である。
【図６】電波センサーの構成を説明するための図である。
【図７】適応ノイズキャンセル機構を用いたノイズ除去処理について説明するための図である。
【図８】パワースペクトルを用いたノイズ除去処理について、説明するための図である。
【図９】第２実施形態の対を成す電波センサーの配置例を示す図である。
【図１０】第２実施形態における信号処理について説明するための図である。
【発明を実施するための形態】
【００１０】
以下、本発明の実施の形態について図面を参照して説明する。ただし、発明の範囲は、図示例に限定されない。
【００１１】
＜第１の実施の形態＞
［生体情報測定システムの構成］
まず、本実施の形態の生体情報測定システム１００の構成について説明する。
【００１２】
図１は、生体情報測定システム１００の構成を示す概念図である。図２は、生体情報測定システム１００の機能的構成を示すブロック図である。
図１及び図２に示すように、生体情報測定システム１００は、例えば、エアマット装置１０と、エアマット装置１０に配設された電波センサー２０と、電波センサー２０の検出信号から生体情報を取得する演算装置（演算処理部）３０と、演算装置３０による演算結果を表示させる表示装置４０と、を備えて構成されている。
なお、ここでは演算装置３０と表示装置４０が別体であるが、これらは一体であっても良い。
【００１３】
［エアマット装置］
エアマット装置１０は、例えば病室などに設置され、使用者である患者が横臥するベッド装置である。なお、エアマット装置としては、患者が着座するクッション装置などであっても良い。
【００１４】
エアマット装置１０は、ベッドフレーム１１と、エアマット１２と、を備えて構成される。
【００１５】
ベッドフレーム１１は、床板１１ａと、床板１１ａの周囲を囲うヘッドボード１１ｂ、フットボード１１ｃ及び柵体１１ｄ，１１ｄと、を備えて構成される。
床板１１ａは、エアマット１２を載置するための長方形状の板体である。床板１１ａの長手方向の両端部それぞれに、ヘッドボード１１ｂ及びフットボード１１ｃが立設されている。また、床板１１ａの短手方向の両側部それぞれに、着脱可能な柵体１１ｄ，１１ｄが立設されている。
【００１６】
エアマット１２は、複数のエアセル１２ａを有し、これらエアセル１２ａの内部に空気を充填することにより、エアマット１２上に横臥する患者の荷重を支えることを可能とする、いわゆるエアマットレスである。複数のエアセル１２ａは、例えば、エアマット１２の長手方向に並置されることによりエアマット１２を構成している。互いに隣接して配置されたエアセル１２ａ同士は、互いに固定されていても固定されていなくてもよい。
【００１７】
複数のエアセル１２ａは、複数のグループに区分けされる。各グループのエアセル１２ａを一定周期毎に交互に膨張又は収縮させることで、患者を支持するエアセル１２ａを一定周期毎に切り替えて、エアマット１２の厚みを部分的に変化させることができる。また、全てのエアセル１２ａを一定周期毎に同時に膨張又は収縮させることで、エアマット１２の厚みを全体的に変化させることもできる。このような膨張又は収縮により、エアマット１２は上下動することとなる。
エアマット１２の上下動により、エアマット１２からの反発力が患者の身体の同一部分に長時間負荷され続けるのを防いで、患者の身体の特定部分に長時間同一の圧力が負荷されて褥瘡（床ずれ）が発生することを防止する効果、蒸れを防止する効果、離床しやすくする効果等を得ることができる。
【００１８】
また、エアマット１２は、給排気部１３と、マット制御部１４と、を備えている。
給排気部１３は、例えば、エアセル１２ａへの給気を行うポンプ１３ａと、エアセル１２ａからの排気を行う排気弁１３ｂと、エアセル１２ａとポンプ１３ａ及び排気弁１３ｂとを各別に接続する接続路と、などを備える。
マット制御部１４は、図示しない測定部によりエアセル１２ａの内圧を測定し、その測定結果に基づいて、ＯＮ／ＯＦＦ信号を出力してポンプ１３ａ、排気弁１３ｂの制御を行う。
【００１９】
［電波センサー］
電波センサー２０は、測定対象である患者に電波を照射してその反射波を検出することで、患者に非接触でその動きを検出することのできるセンサーである。
具体的には、電波センサー２０としては、例えば、ドップラー、ＦＭＣＷ、パルスドップラーなどのセンサーが挙げられる。
この電波センサー２０は、マイクロ波を患者に照射して、反射してきたマイクロ波の周波数の変化によって患者の動きを検出する。つまり、患者が動いている場合にはドップラー効果により反射波の周波数が変化するため、この周波数変化を検出して検出信号を出力する。なお、患者が動いていない場合（患者がいない場合も含む）には、周波数変化が起こらず、変化なしの検出信号が出力される。
【００２０】
図３は、電波センサー２０の外観図である。また、図４は、図３のＩＶ線における断面図である。
図３及び図４に示すように、電波センサー２０は、内部に収容空間を有する筐体２１を備えている。筐体２１は、扁平形状の本体部２１１と、本体部２１１の長手方向一端部において上方に突出した突出部２１２とを備えている。
【００２１】
筐体２１の内部には、アンテナ２２、電波検知回路を有するメイン基板２３、通信ケーブル２４と接続された通信コネクタ２５、これらを一体的に保持する保持部材２６等が収容される。
アンテナ２２は、電波検知回路から出力される送信信号を所定周波数の電波として送信する。また、アンテナ２２は、送信された電波のうち、患者（生体）に反射して戻る電波（反射波）を受信して受信信号を出力する。
電波検知回路は、所定周波数の送信信号を生成し、生成した送信信号をアンテナ２２に出力するとともに、アンテナ２２で受信した電波を検知する。
【００２２】
この電波センサー２０は、エアマット１２の下方であって、少なくとも一部がエアマット１２の縁部の下面に重なる位置に配設される。すなわち、図１に示すように、電波センサー２０は、エアマット１２と床板１１ａの間に差し込まれるように配置される。なお、床板１１ａに電波センサー２０を載置した上に、エアマット１２を載せることで配設されても良い。
【００２３】
また、電波センサー２０のアンテナ２２から放射される電波の指向性が、エアマット１２の上面中心部に向くように配設される。
具体的には、アンテナ２２がパッチアンテナの場合、半値幅は±３０度程度であり、この半値幅に患者が入っていることが好ましく、例えば、アンテナ面がメイン基板２３の主面に対して４０〜８０度程度傾いた角度で設置される。
このとき、図５に示すように、電波センサー２０のアンテナ２２から放射される電波の指向性が最大になる方向が、エアマット１２が最も移動する方向と異なるように調整されることが好ましい。このようにすることで、エアマット１２の上下動の影響を軽減しつつ、大きな信号値を得ることが可能となり、効果的な測定が可能となるためである。
【００２４】
なお、筐体２１の形状は、このようなアンテナ２２の設置角度に合わせて形成されたものであり、本体部２１１の内部には、メイン基板２３や通信コネクタ２５などが収容され、突出部２１２の内部には、アンテナ２２が収容されることとなる。
そして、電波センサー２０の本体部２１１からエアマット１２の下方（エアマット１２と床板１１ａの間）に差し込まれ、所定位置に配設される。なお、運用性を良好にする観点から、電波センサー２０の全体がエアマット１２の縁部の下面に重なる位置となることが好ましいが、例えば図１のように、電波センサー２０の一部がエアマット１２の縁部から外側に突出していても良い。
【００２５】
また、上記したように電波センサー２０を配設した状態において、電波センサー２０の高さ（突出部２１２の高さ）は、エアマット１２の厚み以下となることが好ましい。このようにすることで、電波センサー２０の設置によりエアマット１２に凹凸が生じることで患者に不快感を与えるのを防止することができる。
【００２６】
なお、アンテナ２２が指向性を制御可能なアレイアンテナの場合には、アンテナ２２がメイン基板２３に対して傾いていない構成とすることもできる。この場合、電波センサー２０の全体を扁平状に形成し、電波センサー２０の全体がエアマット１２の下方（エアマット１２と床板１１ａの間）に差し込まれ、エアマット１２の縁部の下面に重なる位置に配設される。
【００２７】
図６は、電波センサー２０の構成をさらに説明するための図である。
図６に示すように、筐体２１の突出部２１２の背面は開口しており、この開口は筐体２１の内部に収容された保持部材２６により閉塞され、必要に応じて、突出部２１２の背面の開口から、保持部材２６を引き出し可能な構成とすることも好ましい。
このようにすることで、患者がエアマット１２に横臥し、電波センサー２０が設置されたままの状態でも、電波センサー２０の内部部品の交換やメンテナンスを行えるようにすることができる。
【００２８】
また、本実施の形態においては、エアマット１２と床板１１ａの間に、圧力センサー５０が備えられている。
圧力センサー５０は、患者の身体と極力重ならない位置（例えば、エアマット１２の角部の下）に配置される。
【００２９】
［演算装置］
演算装置３０は、例えば、ＣＰＵ（Central Processing Unit）、制御プログラム及び制御データを格納した記憶装置、及び、ＣＰＵがデータを展開するメモリーを備える。
演算装置３０は、ＣＰＵが制御プログラムを実行することで、電波センサー２０から出力された検出信号を信号処理して演算を行う。
【００３０】
［表示装置］
表示装置４０は、例えば、患者のベッドサイドに設けられ、演算装置３０による演算結果を表示させる装置である。なお、表示装置４０は、例えば、ナースステーションに設けられたモニタリング装置や、医師や看護師等の医療従事者が携帯する移動用端末装置であっても良い。
表示装置４０は、例えば、ＬＣＤ（Liquid Crystal Display）等を備えて構成されており、演算装置３０から入力される表示信号の指示に従って、各種画面を表示する。
表示装置４０は、生体情報（測定値、測定波形等）を表示する画面を含む複数の画面を切り替え表示可能となっている。
【００３１】
[演算装置による信号処理]
次に、生体情報測定システム１００の演算装置３０による信号処理について説明する。
【００３２】
本実施の形態においては、演算装置３０は、電波センサー２０から出力された検出信号と、エアマット１２の動作を示すリファレンス信号に基づいて、生体情報を算出する。
【００３３】
具体的に、演算装置３０は、電波センサー２０から検出信号が出力されると、検出信号を距離信号又は速度信号に変換する。
例えば、電波センサー２０の検出信号（ＩＱ信号）から距離信号を求めるには、下記の式（１）を用いることができる。ここで、角度θが、距離信号となる。
θ＝ａｒｃｔａｎ（Ｑ／Ｉ）・・・（１）
【００３４】
また、演算装置３０は、圧力センサー５０からリファレンス信号を取得する。
ここでは、リファレンス信号は、圧力センサー５０により検出されたエアマット１２の移動による圧力変化を示す信号である。
圧力センサー５０が患者の身体と極力重ならない位置に配されることで、患者の動きの影響のない、エアマット１２の移動のみを示すリファレンス信号を生成している。
【００３５】
次に、演算装置３０は、距離信号又は速度信号からリファレンス信号の成分を差し引くノイズ除去処理を行う。
イズ除去処理としては、適応ノイズキャンセル機構を用いた手法や、パワースペクトルを用いた手法などが用いられる。
【００３６】
図７は、適応ノイズキャンセル機構を用いたノイズ除去処理について説明するための図である。
図７に示すように、適応ノイズキャンセル機構は、適応フィルタを用いて、エアマット１２の動作（ノイズ）を抑圧させた信号を出力するものである。
具体的に、適応ノイズキャンセル機構には、電波センサー２０の検出信号（ＩＱ信号）を距離信号又は速度信号に変換した入力信号が入力される。かかる入力信号には、患者の動作に起因する生体信号に加えて、エアマット１２の動作に起因するノイズ信号が含まれる。そして、入力信号から、適応フィルタによって、非所望部分の周波数領域（エアマット１２の動作に起因するノイズ信号）をフィルタリングすることによって、このノイズ信号が減算された信号が出力される。この出力信号は、入力信号からノイズ信号が除去されたものであるため、そのピーク周波数が生体情報（呼吸数など）と推定できる。
【００３７】
図８（ａ）〜図８（ｃ）は、パワースペクトルを用いたノイズ除去処理について説明するための図である。
図８（ａ）に示すように、電波センサー２０の検出信号（ＩＱ信号）を距離信号又は速度信号に変換した入力信号に対して、フーリエ変換等のＦＦＴ及びパワー化を行い、パワースペクトルを求める。
同様にして、図８（ｂ）に示すように、リファレンス信号のパワースペクトルも求める。なお、リファレンス信号のピーク周波数の最大値が、入力信号の同一周波数の値と同じになるように正規化されることが好ましい。
そして、電波センサー２０の検出信号のパワースペクトルから、リファレンス信号のパワースペクトルを差し引いて、図８（ｃ）に示すように、ノイズが除去されたパワースペクトルを得る。図８（ｃ）のパワースペクトルは、そのピーク周波数が生体情報（呼吸数など）となる。
【００３８】
なお、リファレンス信号としては、エアマット１２の厚さ方向の移動距離、エアマット１２の厚さ方向の移動速度などを用いることもできる。この場合には、圧力センサー５０の代わりに、距離センサーや速度センサーを使用すればよい。距離センサーや速度センサーとしては、電波、レーザー又は超音波等を用いたセンサーが用いられる。
【００３９】
［実施の形態による効果］
以上のように、本実施の形態によれば、生体情報測定システム１００は、エアの給排気による膨張又は収縮で上下動するエアマット１２と、エアマット１２上の患者に電波を照射し、その反射波を利用して生体の動きを検出する電波センサー２０と、電波センサー２０から出力された検出信号から、エアマット１２上の患者の生体情報を取得する演算装置３０と、を備え、電波センサー２０は、エアマット１２の下方であって、少なくとも一部がエアマット１２の縁部の下面に重なる位置に、当該電波センサー２０から放射される電波の指向性が、エアマット１２の上面中心部に向くように配設される。
このため、電波センサー２０がエアマット１２の下方であって、少なくとも一部がエアマット１２の縁部の下面に重なる位置に配されるので、医療従事者や患者の行動の邪魔になることなく、運用性を良好にすることができる。
また、電波センサー２０がエアマット１２の下方であって、少なくとも一部がエアマット１２の縁部の下面に重なる位置に配されるので、例えばセンサーをエアマットの真下に設置した場合と比較して、エアマット１２の影響を受け難く、測定値への影響を抑えることができる。
また、エアマット１２と、その下のエアマット１２を支持する支持部（ここでは床板１１ａ）の間に差し込めばよいため、設置性を良好にすることができる。
【００４０】
また、本実施の形態によれば、電波センサー２０から放射される電波の指向性が最大になる方向は、エアマット１２が最も移動する方向と異なる。
このため、エアマット１２の動作の影響を軽減しつつ、大きな信号値を得ることが可能となり、効果的な測定が可能となる。
【００４１】
また、本実施の形態によれば、電波センサー２０は、エアマット１２に対して配設された際の高さが、エアマット１２の厚み以下である。
このため、電波センサー２０の設置により患者に不快感を与えるのを防止することができる。
【００４２】
また、本実施の形態によれば、演算装置３０は、電波センサー２０から出力された検出信号と、エアマット１２の動作を示すリファレンス信号に基づいて、生体情報を取得する。
具体的には、演算装置３０は、電波センサー２０から出力された検出信号から、リファレンス信号の成分を差し引いて、生体情報を取得する。
また、リファレンス信号は、エアマット１２の厚み方向の移動距離、エアマット１２の厚み方向の移動速度、及びエアマット１２の移動による圧力変化のいずれか一つを示す信号である。
このため、より高精度な測定が可能となる。
【００４３】
なお、リファレンス信号として、エアマット１２のポンプ１３ａ及び排気弁１３ｂの少なくとも一方のＯＮ／ＯＦＦ信号を用いても良い。
この場合、演算装置３０は、リファレンス信号から、エアマット１２のポンプ１３ａ及び排気弁１３ｂの少なくとも一方が動作中であると判断した場合、電波センサー２０から出力された検出信号（或いは、検出信号から取得された生体情報）を無効と判断する。
【００４４】
なお、上記実施の形態においては、電波センサー２０は一つであったが、複数の電波センサー２０が設置されていても良い。
また、上記実施の形態においては、電波センサー２０はエアマット１２の長手方向の一辺に対して配置されているが、エアマット１２の短手方向の一辺に対して配置されていても良い。すなわち、患者の頭や足元の近傍に配置されていても良い。
この場合であっても、電波センサー２０は、エアマット１２の下方であって、少なくとも一部がエアマット１２の縁部の下面に重なる位置に、電波の指向性が、エアマット１２の上面中心部に向くように配設されることとなる。
【００４５】
また、エアマット１２上に患者がいない時のエアマット１２の動作情報をリファレンス信号として測定・保存しておき、患者がいる時の電波センサー２０の測定値から、保存しておいたエアマット１２の動作情報を用いてエアマット動作による影響を差し引くこととしても良い。
【００４６】
また、演算装置３０は、上述のリファレンス信号を用いた処理を行うことなく、生体情報を取得することとしても良い。
【００４７】
＜第２の実施の形態＞
次に、本発明の第２の実施の形態について、第１の実施の形態と異なる点を中心に説明する。なお、第１の実施の形態と同一の構成については、同一の符号を付して、その説明を省略する。
【００４８】
［生体情報測定システムの構成］
本実施の形態における生体情報測定システムは、電波センサー２０の他に、第２の電波センサー６０を備えている。
電波センサー２０と第２の電波センサー６０は対を成すものであって、第２の電波センサー６０は、エアマット１２を挟んで、電波センサー２０と対向するよう配設される。
第２の電波センサー６０の構成は、電波センサー２０と同一であるが、生成する電波の周波数が互いに異なるように設定されている。
【００４９】
図９（ａ）（ｂ）は、電波センサー２０と第２の電波センサー６０の配置の一例を示す図である。
図９（ａ）は、一方の電波センサー２０が、エアマット１２の短手方向の縁部（足元側の縁部）の下面に重なる位置に配設され、他方の第２の電波センサー６０が、患者の頭部の上方となる位置に配設された例である。２つのセンサー２０、６０のアンテナ面が、互いに向き合うように設置されている。
また、図９（ｂ）は、一方の電波センサー２０が、エアマット１２の長手方向の一の縁部の下面に重なる位置に配設され、他方の第２の電波センサー６０が、エアマット１２の長手方向の他の縁部の上方となる位置に配設された例である。２つのセンサーのアンテナ面が、互いに向き合うように設置されている。
【００５０】
[演算装置による信号処理]
この場合、演算装置３０は、図１０に示すように、対を成す電波センサー２０、６０の各々の検出信号から求めた距離又は速度信号から合成信号を求め、合成信号から生体情報を取得する。合成信号は、２つの信号の加算値でもよいが、２つの信号の平均値でもよい。
【００５１】
これにより、例えば、患者全体が同じ方向に動くなどの体動があった場合、対を成す電波センサー２０、６０の各々から求めた距離又は速度信号の増減は逆方向に動くため相殺され、合成信号は体動成分が除去（或いは軽減）された信号になる。
また、呼吸のように患者の体積が膨張や収縮する場合は、対を成す電波センサー２０、６０の各々から求めた距離又は速度信号の増減は同じ方向に動くため、合成信号は、信号成分がより強調され、ノイズの影響を低減することができる。
また、患者がエアマット１２上で偏っている場合にも、対を成す電波センサー２０、６０の一方の信号が強くなることで、合成信号は、偏りの影響が軽減できる。
【００５２】
なお、各センサーの生体情報（呼吸数や心拍数）を取得した後に、平均化などで最終的な生体情報を算出すると、本来有している各センサーから求めた距離又は速度信号同士の相関の情報を捨てていることになるところ、上記のようにすることで、各センサーの位相情報の相関の情報も有効に活かせ、体動など外乱の影響を軽減することができる。
【００５３】
［実施の形態による効果］
以上のように、本実施の形態によれば、電波センサー２０とエアマット１２を挟んで対向して配設される第２の電波センサー６０を備え、演算装置３０は、電波センサー２０及び第２の電波センサー６０の各々の検出信号から求めた距離又は速度信号から合成信号を求め、合成信号から生体情報を取得する。
このため、体動など外乱の影響を軽減できるので、より正確な測定が可能となる。
【００５４】
なお、本実施の形態においても、第１の実施の形態と同様に、リファレンス信号を用いた演算処理を行ってもよいのは勿論である。
【００５５】
また、対を成す電波センサーは一組に限られず、複数組備えられても良い。例えば、図９（ａ）と図９（ｂ）の両者の組を備えた構成などとすることができる。
【００５６】
なお、本発明を適用可能な実施の形態は、上述した第１、第２の実施の形態に限定されることなく、本発明の趣旨を逸脱しない範囲で適宜変更可能である。
【００５７】
例えば、電波センサーの反射率を上げるために、エアマット１２上面にセンサーの電波を反射する反射物（アルミ箔や、アルミ箔がコーティングされた板体など）を配置することとしても良い。
【符号の説明】
【００５８】
１００  生体情報測定システム
１０  エアマット装置
１１  ベッドフレーム
１１ａ  床板
１１ｂ  ヘッドボード
１１ｃ  フットボード
１１ｄ  柵体
１２  エアマット
１２ａ  エアセル
１３  給排気部
１３ａ  ポンプ
１３ｂ  排気弁
１４  マット制御部
２０  電波センサー
２１  筐体
２１１  本体部
２１２  突出部
２２  アンテナ
２３  メイン基板
２４  通信ケーブル
２５  通信コネクタ
２６  保持部材
３０  演算装置（演算処理部）
４０  表示装置
５０  圧力センサー
６０  第２の電波センサー
【図１】
2020130328.tif 000003
【図２】
2020130328.tif 000004
【図３】
2020130328.tif 000005
【図４】
2020130328.tif 000006
【図５】
2020130328.tif 000007
【図６】
2020130328.tif 000008
【図７】
2020130328.tif 000009
【図８】
2020130328.tif 000010
【図９】
2020130328.tif 000011
【図１０】
2020130328.tif 000012